(57)【要約】【課題】任意の場所で容易にジョブを実行させることができるジョブ実行システム、ジョブ実行装置、ジョブ実行方法及びジョブ実行プログラムを提供する。【解決手段】ジョブを蓄積するジョブ蓄積部と、前記ジョブ蓄積部を特定するジョブ蓄積先情報を、近距離無線通信により携帯端末に送信する第１の機器と、前記ジョブ蓄積先情報を前記携帯端末から近距離無線通信により受信する第２の機器とを有し、前記第１の機器及び前記第２の機器は、前記ジョブを前記ジョブ蓄積部から受信して実行可能である。【選択図】図２
2015060326.tif 000002
【特許請求の範囲】
【請求項１】
ジョブを蓄積するジョブ蓄積部と、
前記ジョブ蓄積部を特定するジョブ蓄積先情報を、近距離無線通信により携帯端末に送信する第１の機器と、
前記ジョブ蓄積先情報を前記携帯端末から近距離無線通信により受信する第２の機器と
を有し、
前記第１の機器及び前記第２の機器は、
前記ジョブを前記ジョブ蓄積部から受信して実行可能であること
を特徴とするジョブ実行システム。
【請求項２】
前記第１の機器及び前記第２の機器は、
認証を行って近距離通信を行うこと
を特徴とする請求項１に記載のジョブ実行システム。
【請求項３】
前記ジョブ蓄積先情報は、
前記ジョブ蓄積部を特定するアドレス情報、及び前記ジョブを個別に特定するジョブＩＤを含み、
前記携帯端末は、
選択されたジョブＩＤにより特定される前記ジョブを蓄積する前記ジョブ蓄積部を特定するアドレス情報を前記第２の機器に送信すること
を特徴とする請求項１又は２に記載のジョブ実行システム。
【請求項４】
前記ジョブ蓄積先情報は、
全ての前記ジョブが選択されている旨を示す全選択情報をさらに含み得るように設定されており、
前記第２の機器は、
受信した前記ジョブ蓄積先情報が前記全選択情報を含んでいた場合、前記ジョブ蓄積先情報が特定する前記ジョブ蓄積部が蓄積している全ての前記ジョブを実行すること
を特徴とする請求項３に記載のジョブ実行システム。
【請求項５】
前記第１の機器は、
前記ジョブに対する設定を変更する設定変更情報を前記ジョブ蓄積先情報とともに送信し、
前記第２の機器は、
前記設定変更情報を前記ジョブ蓄積先情報とともに受信し、前記設定変更情報に基づいて前記ジョブを実行すること
を特徴とする請求項１乃至４のいずれか１項に記載のジョブ実行システム。
【請求項６】
前記第２の機器は、
前記第２の機器の性能を示す性能情報を記憶する性能情報記憶部と、
前記性能情報と対応する前記ジョブのみを表示する表示部と
をさらに有し、
前記性能情報と対応する前記ジョブのみを実行すること
を特徴とする請求項１乃至５のいずれか１項に記載のジョブ実行システム。
【請求項７】
前記ジョブ蓄積部は、
サーバ内に設けられ、
前記第２の機器は、
前記ジョブが中断された場合、前記ジョブの中断の状況を示す状況情報を前記サーバへ送信し、
前記サーバは、
前記状況情報に基づいて、中断した前記ジョブを再開可能に送信すること
を特徴とする請求項１乃至６のいずれか１項に記載のジョブ実行システム。
【請求項８】
前記第１の機器は、
前記ジョブの一覧を前記携帯端末に所定の条件で表示させるための表示条件情報を、前記ジョブ蓄積先情報とともに前記携帯端末に送信すること
を特徴とする請求項１乃至７のいずれか１項に記載のジョブ実行システム。
【請求項９】
前記ジョブ蓄積部は、
前記第１の機器又は前記第２の機器内に設けられていること
を特徴とする請求項１に記載のジョブ実行システム。
【請求項１０】
前記第１の機器及び前記第２の機器は、
前記ジョブとして印刷を行うジョブを実行可能であること
を特徴とする請求項１乃至９のいずれか１項に記載のジョブ実行システム。
【請求項１１】
ジョブを蓄積するジョブ蓄積部を特定するジョブ蓄積先情報を、近距離無線通信により携帯端末に送信可能にされ、前記ジョブ蓄積先情報を前記携帯端末から近距離無線通信により受信可能にされた第１通信部と、
前記ジョブ蓄積先情報を前記第１通信部が受信した場合に、前記ジョブを前記ジョブ蓄積先情報に基づいて前記ジョブ蓄積部から受信する第２通信部と、
前記第２通信部が受信した前記ジョブを実行する実行部と
を有することを特徴とするジョブ実行装置。
【請求項１２】
ジョブを蓄積するジョブ蓄積部を特定するジョブ蓄積先情報を携帯端末から近距離無線通信により受信する工程と、
前記ジョブを前記ジョブ蓄積先情報に基づいて前記ジョブ蓄積部から受信する工程と、
受信した前記ジョブを実行する工程と、
を含むことを特徴とするジョブ実行方法。
【請求項１３】
ジョブを蓄積するジョブ蓄積部を特定するジョブ蓄積先情報を携帯端末から近距離無線通信により受信するステップと、
前記ジョブを前記ジョブ蓄積先情報に基づいて前記ジョブ蓄積部から受信するステップと、
受信した前記ジョブを実行するステップと、
をコンピュータに実行させるためのジョブ実行プログラム。
【発明の詳細な説明】
【技術分野】
【０００１】
本発明は、ジョブ実行システム、ジョブ実行装置、ジョブ実行方法及びジョブ実行プログラムに関する。
【背景技術】
【０００２】
サーバや機器に蓄積した印刷ジョブを機器側でユーザー認証後に出力する出力物の放置防止を目的とした保留印刷機能（オンデマンド印刷機能）に関して、どのサーバや機器に蓄積した印刷ジョブであっても任意の機器から出力したい（ロケーションフリー印刷機能）という要求がある。この要求を満たすために、機器から複数のサーバや機器内で蓄積ジョブ情報を検索したり、クライアントＰＣから携帯端末に送信した蓄積ジョブ情報を機器側で読み取ることにより、ロケーションフリー印刷を実現する方式が知られている。
【０００３】
また、特許文献１には、クライアント端末から電子メールを用いて印刷ジョブ用認証データを携帯端末に取得させ、携帯端末から認証装置に非接触でデータを取得させることで、印刷ジョブの所在情報を保存した記憶媒体のやり取り、そして記憶媒体の装着作業を不要とするセキュリティ印刷システムが開示されている。
【発明の概要】
【発明が解決しようとする課題】
【０００４】
しかしながら、クライアントＰＣや機器と、携帯端末との間でジョブ情報を送受信する操作の手間が生じたり、メールの送受信によって即時性や信頼性が低下してしまうという問題があった。また、クライアントＰＣや機器に対し、新たな設備の導入やアプリケーションの導入が必要であった。
【０００５】
本発明は、上記に鑑みてなされたものであって、任意の場所で容易にジョブを実行させることができるジョブ実行システム、ジョブ実行装置、ジョブ実行方法及びジョブ実行プログラムを提供することを目的とする。
【課題を解決するための手段】
【０００６】
上述した課題を解決し、目的を達成するために、本発明は、ジョブを蓄積するジョブ蓄積部と、前記ジョブ蓄積部を特定するジョブ蓄積先情報を、近距離無線通信により携帯端末に送信する第１の機器と、前記ジョブ蓄積先情報を前記携帯端末から近距離無線通信により受信する第２の機器とを有し、前記第１の機器及び前記第２の機器は、前記ジョブを前記ジョブ蓄積部から受信して実行可能であることを特徴とする。
【発明の効果】
【０００７】
本発明によれば、任意の場所で容易にジョブを実行させることができるという効果を奏する。
【図面の簡単な説明】
【０００８】
【図１】図１は、実施の形態にかかるジョブ実行システムの一例である印刷システムの概略構成を示す図である。
【図２】図２は、印刷システムを構成する各部が有する機能の概要を示す機能ブロック図である。
【図３】図３は、印刷ジョブ情報テーブル、印刷ジョブ蓄積先情報テーブル、性能情報、及び状況情報の概要を示す図表である。
【図４】図４は、印刷クライアントが印刷サーバへジョブを蓄積する場合の動作を示すフローチャートである。
【図５】図５は、ローカル機器がジョブ蓄積先情報を取得する場合の動作を示すフローチャートである。
【図６】図６は、ローカル機器が状況情報及び蓄積先情報を取得する場合の動作を示すフローチャートである。
【図７】図７は、リモート機器がジョブの一覧を取得する場合の動作を示すフローチャートである。
【図８】図８は、リモート機器が印刷を行う場合の動作を示すフローチャートである。
【発明を実施するための形態】
【０００９】
以下に添付図面を参照して、ジョブ実行システムの実施の形態を詳細に説明する。図１は、実施の形態にかかるジョブ実行システムの一例である印刷システム１の概略構成を示す図である。図１に示すように、印刷システム１は、例えば印刷ジョブを蓄積する印刷サーバ２、印刷ジョブを投入する印刷クライアント３、ローカル機器４、リモート機器５及び携帯端末６を有する。以下、印刷ジョブを単にジョブと記すことがある。
【００１０】
印刷サーバ２、印刷クライアント３及びローカル機器４は、ユーザーがある時点にいる場所（自拠点）に配置されている。リモート機器５は、例えば自拠点から離れた場所（他拠点）に配置されている。印刷サーバ２、印刷クライアント３、ローカル機器４及びリモート機器５は、ネットワークを介して互いに接続されている。
【００１１】
携帯端末６は、ユーザーが任意の場所へ携帯することができるようにされており、ローカル機器４及びリモート機器５それぞれに対し、例えば認証機能を備えた近距離無線通信を行う。近距離無線通信とは、例えばＮＦＣ（Near  Field  Communication）などである。ここで、携帯端末６は、例えばカードエミュレーションモードで動作する。ローカル機器４及びリモート機器５は、例えばリーダー／ライターモードで動作する。また、ローカル機器４及びリモート機器５と、携帯端末６とは、Ｐ２Ｐモードで動作するように構成されてもよい。なお、印刷システム１が有する各機能は、それぞれハードウェアにより構成されてもよいし、ソフトウェアによって構成されてもよい。
【００１２】
次に、印刷システム１を構成する各部について詳述する。図２は、印刷システム１を構成する各部が有する機能の概要を示す機能ブロック図である。図２に示すように、印刷クライアント３は、印刷ジョブ送信部３０を有する。印刷ジョブ送信部３０は、印刷サーバ２に対してジョブを送信する。
【００１３】
印刷サーバ２は、ジョブ受信部２０、ジョブ設定部２１、印刷ジョブ情報記憶部２２、ジョブ取得部２３、ジョブ編集部２４及び機器通信部２５を有する。ジョブ受信部２０は、印刷ジョブ送信部３０が送信するジョブ（ジョブ情報を含む）を受信する。ジョブ設定部２１は、ジョブを後述する印刷ジョブ情報テーブル（図３（ａ）参照）に設定する。印刷ジョブ情報記憶部２２は、ジョブを印刷ジョブ情報テーブルなどとして記憶するジョブ蓄積部としての機能を有する。ジョブ取得部２３は、ジョブを印刷ジョブ情報テーブルから取得する。ジョブ編集部２４は、ジョブを編集する。機器通信部２５は、他の機器（ローカル機器４又はリモート機器５）との通信を行う。
【００１４】
なお、印刷ジョブ情報記憶部２２の配置は、印刷サーバ２内に限定されない。例えば、印刷ジョブ情報記憶部２２は、ローカル機器４又はリモート機器５内に設けられてもよい。
【００１５】
携帯端末６は、蓄積先情報記憶部６０、蓄積先設定部６２、蓄積先取得部６４及び機器通信部６６を有する。蓄積先情報記憶部６０は、ジョブの蓄積先を特定するジョブ蓄積先情報を後述する印刷ジョブ蓄積先情報テーブル（図３（ｂ）参照）にして記憶する。ジョブ蓄積先情報は、印刷ジョブ情報記憶部（ジョブ蓄積部）２２を特定するアドレス及びジョブを個別に特定するジョブＩＤを含んでもよい。さらに、ジョブ蓄積先情報は、全てのジョブが選択されている旨を示す全選択情報をさらに含み得るように設定されている。蓄積先設定部６２は、ジョブ蓄積先情報を印刷ジョブ蓄積先情報テーブルに設定する。蓄積先取得部６４は、ジョブ蓄積先情報を印刷ジョブ蓄積先情報テーブルから取得する。機器通信部６６は、他の機器（ローカル機器４又はリモート機器５）との通信を行う。
【００１６】
ローカル機器４は、操作部４０、印刷サーバ通信部４１、印刷部４２、ケーパビリティ（Capability）情報記憶部４３、ジョブステータス（Job  status）情報記憶部４４、蓄積先取得設定部４５及び携帯端末通信部４６を有する。操作部４０は、ユーザーからの操作を受付ける入力部としての機能と、動作結果の表示などを行う表示部としての機能とを有する例えばタッチパネルなどにより構成される。
【００１７】
印刷サーバ通信部４１は、印刷サーバ２と通信を行う。印刷部４２は、プログラムの実行により、ジョブに応じた印刷を行うジョブの実行部としての機能を有する。ケーパビリティ情報記憶部（性能情報記憶部）４３は、ローカル機器４の性能を示す性能情報（図３（ｃ）参照）を記憶する。ジョブステータス情報記憶部４４は、ジョブが中断された場合、ジョブの中断の状況を示す状況情報（図３（ｄ）参照）を記憶する。蓄積先取得設定部４５は、ジョブ蓄積先情報の取得及び設定を行う。携帯端末通信部４６は、携帯端末６との通信を行う。
【００１８】
なお、ローカル機器４及びリモート機器５は、例えばそれぞれ実質的に同一の機能を有する。また、ローカル機器４とリモート機器５とは、互いに異なる機能を有していてもよい。また、ローカル機器４及びリモート機器５は、ジョブに対する設定を変更する設定変更情報をジョブ蓄積先情報とともに送信可能にされ、且つ設定変更情報をジョブ蓄積先情報とともに受信可能にされており、設定変更情報に基づいてジョブを実行するように構成されている。また、ローカル機器４及びリモート機器５は、ジョブの一覧を携帯端末６に所定の条件で表示させるための表示条件情報を、ジョブ蓄積先情報とともに携帯端末６に送信する。表示条件情報は、例えば蓄積先情報の送信又は受信のいずれを行うのかを選択可能に表示することを含む。また、携帯端末６も同様に、蓄積先情報の送信又は受信のいずれを行うのかを選択可能に表示し、蓄積先情報の送信及び受信のいずれをも可能にされてもよい。
【００１９】
図３は、印刷ジョブ情報テーブル（ａ）、印刷ジョブ蓄積先情報テーブル（ｂ）、性能情報（ｃ）、及び状況情報（ｄ）の概要を示す図表である。印刷ジョブ情報テーブルは、ジョブＩＤ、ユーザーＩＤ、ジョブ名、ページ数、印刷状況、印刷済みページ数、印刷面情報、印刷色（カラー）情報などが対応づけられている。また、印刷ジョブ情報テーブルは、上述したように印刷ジョブ情報記憶部２２に記憶され、蓄積したジョブに関する情報を管理するために用いられる。
【００２０】
印刷ジョブ蓄積先情報テーブルは、ジョブの蓄積先を示すアドレス、ユーザーＩＤ及びジョブＩＤが対応付けられている。また、印刷ジョブ蓄積先情報テーブルは、上述したように蓄積先情報記憶部６０に記憶され、ジョブの蓄積先に関する情報を管理するために用いられる。
【００２１】
性能情報は、機器（ローカル機器４又はリモート機器５）の機能と、機能の実行可否とを含む。また、性能情報は、上述したようにケーパビリティ情報記憶部４３に記憶され、機器の性能に関する情報を管理するために用いられる。
【００２２】
状況情報は、トラック（Track）ＩＤ、印刷状況及び出力ページ数が対応付けられている。また、状況情報は、上述したようにジョブステータス情報記憶部４４に記憶され、ジョブの状況を管理するために用いられる。
【００２３】
次に、印刷システム１の動作について説明する。図４は、印刷クライアント３が印刷サーバ２へジョブを蓄積する場合の動作を示すフローチャートである。印刷クライアント３は、印刷ジョブ送信部３０を用いて印刷サーバ２に対してジョブを送信する（Ｓ１）。
【００２４】
印刷サーバ２は、ジョブ受信部２０を用いてＳ１で送信されたジョブを受信する（Ｓ２）。また、印刷サーバ２は、ジョブ設定部２１を用いてＳ２で受信したジョブに関する情報（ジョブＩＤ、ユーザーＩＤ、ページ数など）を印刷ジョブ情報記憶部２２の印刷ジョブ情報テーブルに設定する（Ｓ３）。
【００２５】
図５は、ローカル機器４がジョブ蓄積先情報を取得する場合の動作を示すフローチャートである。ローカル機器４は、印刷サーバ通信部４１を用いて、ユーザー認証情報（ユーザーＩＤ、パスワードなど）を印刷サーバ２に送信し、印刷ジョブ一覧を要求する（Ｓ４）。
【００２６】
印刷サーバ２は、機器通信部２５を用いてＳ４の印刷ジョブ一覧要求から取得したユーザーＩＤをキーとして、ジョブ取得部２３を用いてジョブ情報を印刷ジョブ情報テーブルから取得し、機器通信部２５を用いてローカル機器４に返答する（Ｓ５）。
【００２７】
ローカル機器４は、ユーザーの操作に応じて携帯端末６に対するジョブ蓄積先情報（印刷サーバ２のアドレス、選択されたジョブのジョブＩＤなど）の送信指示を受入れる（Ｓ６）。
【００２８】
ローカル機器４は、携帯端末通信部４６を用いて携帯端末６の探索を行う。携帯端末６の機器通信部６６は、ローカル機器４からの探索要求に応答し、ローカル機器４との接続を行う（Ｓ７）。
【００２９】
ローカル機器４は、Ｓ７で携帯端末６の発見及び接続が確立できたかを確認する（Ｓ８）。ローカル機器４は、接続が成功した場合Ｓ９へ進む。また、ローカル機器４は、携帯端末６を発見できない場合、又は接続失敗の場合、Ｓ７へ進む。
【００３０】
ローカル機器４の蓄積先取得設定部４５は、携帯端末通信部４６を用いて、Ｓ８で接続した携帯端末６に対してジョブ蓄積先情報を送信する（Ｓ９）。
【００３１】
携帯端末６は、機器通信部６６を用いて、Ｓ９で送信されたジョブ蓄積先情報（印刷サーバ２のアドレス、ユーザーＩＤ、ジョブＩＤなど）を受信し、蓄積先設定部６２を用いて蓄積先情報記憶部６０のジョブ蓄積先情報テーブルに設定する（Ｓ１０）。
【００３２】
図６は、ローカル機器４が状況情報及び蓄積先情報を取得する場合の動作を示すフローチャートである。ローカル機器４は、印刷サーバ通信部４１を用いて印刷対象のジョブのデータ取得要求、当該ジョブの状況監視に必要なトラック（Track）ＩＤを印刷サーバ２に送信する（Ｓ１１）。
【００３３】
印刷サーバ２は、機器通信部２５を用いてＳ１１の要求を受信し、印刷対象のジョブのジョブＩＤを検索キーとしてジョブ取得部２３を用いて印刷ジョブ情報テーブルからジョブのデータを取得する（Ｓ１２）。
【００３４】
印刷サーバ２は、Ｓ１２で取得したジョブのデータに対し、ジョブ編集部２４を用いてＳ１１で要求されたトラックＩＤを埋め込み、編集後のジョブデータを機器通信部２５を用いてローカル機器４に返答する（Ｓ１３）。
【００３５】
ローカル機器４は、印刷サーバ通信部４１を用いてＳ１３で返答されたジョブのデータを受信し、印刷部４２を用いて印刷（出力）を実行する（Ｓ１４）。
【００３６】
ローカル機器４は、Ｓ１１で指定したトラックＩＤを検索キーとしてジョブの出力状況を監視し、出力が中断された場合、印刷サーバ通信部４１を用いて中断したジョブの状況情報（印刷済みページ数、完了状況など）を印刷サーバ２に送信する（Ｓ１５）。
【００３７】
印刷サーバ２は、機器通信部２５を用いてＳ１５で送信されたジョブの状況情報を受信し、ジョブのジョブＩＤを検索キーとしてジョブ設定部２１を用いて印刷ジョブ情報テーブルを更新する（Ｓ１６）。例えば、印刷サーバ２は、用紙切れ等のエラーで出力が中断した場合、印刷ジョブ情報テーブルの状況を「印刷中断」に設定する。また、印刷サーバ２は、印刷が完了した場合は「印刷完了」に設定する。
【００３８】
携帯端末６は、中断ジョブの蓄積先情報の送信指示を受入れる（Ｓ１７）。
【００３９】
ローカル機器４は、携帯端末通信部４６を用いて携帯端末６の探索を行う。携帯端末６の機器通信部６６は、ローカル機器４からの探索要求に応答し、ローカル機器４との接続を行う（Ｓ１８）。
【００４０】
ローカル機器４は、Ｓ１８で携帯端末６の発見及び接続が確立できたかを確認する（Ｓ１９）。ローカル機器４は、接続が成功した場合にはＳ２０へ進む。また、ローカル機器４は、携帯端末６を発見できない場合、又は接続失敗した場合にはＳ１８へ進む。
【００４１】
ローカル機器４の蓄積先取得設定部４５は、携帯端末通信部４６を用いてＳ１９で接続した携帯端末６に対して蓄積先情報を送信する（Ｓ２０）。
【００４２】
携帯端末６は、機器通信部６６を用いて、Ｓ２０で送信されたジョブ蓄積先情報（印刷サーバ２のアドレス、ユーザーＩＤ、ジョブＩＤなど）を受信し、蓄積先設定部６２を用いて蓄積先情報記憶部６０のジョブ蓄積先情報テーブルに設定する（Ｓ２１）。
【００４３】
図７は、リモート機器５がジョブの一覧を取得する場合の動作を示すフローチャートである。リモート機器５は、携帯端末通信部４６を用いて携帯端末６の探索を行う。携帯端末６の機器通信部６６はリモート機器５からの探索要求に応答し、リモート機器５との接続を行う（Ｓ２２）。
【００４４】
リモート機器５は、Ｓ２２で携帯端末６の発見及び接続が確立できたかを確認する（Ｓ２３）。リモート機器５は、接続が成功した場合にはＳ２４へ進む。また、リモート機器５は、携帯端末６を発見できない場合、又は接続失敗した場合にはＳ２２へ進む。
【００４５】
リモート機器５の蓄積先取得設定部４５は、携帯端末通信部４６を用いてＳ２３で接続した携帯端末６に対してジョブ蓄積先情報を要求する（Ｓ２４）。
【００４６】
携帯端末６は、機器通信部６６を用いてＳ２４の要求を受信し、蓄積先取得部６４を用いて印刷ジョブ蓄積先情報テーブルからジョブ蓄積先情報（印刷サーバ２のアドレス、ユーザーＩＤ、ジョブＩＤなど）を取得して、機器通信部６６を用いてリモート機器５に返答する（Ｓ２５）。
【００４７】
携帯端末６は、蓄積先設定部６２を用いてＳ２５で返答したジョブ蓄積先情報を印刷ジョブ蓄積先情報テーブルから削除する（Ｓ２６）。なお、ジョブ蓄積先情報を印刷ジョブ蓄積先情報テーブルから削除するか否かについては、操作部４０を介してユーザーに問い合わせてから実施するように構成されてもよいし、ユーザーが携帯端末６から手動で削除できるように構成されてもよい。
【００４８】
リモート機器５は、ケーパビリティ情報記憶部４３から性能情報を取得する（Ｓ２７）。
【００４９】
リモート機器５は、印刷サーバ通信部４１を用いて、Ｓ２７で取得した機器の性能情報、ユーザー認証情報（ユーザーIＤ、パスワードなど）、Ｓ２５で返答されたジョブ蓄積先情報（ジョブＩＤなど）をＳ２５で返答された印刷サーバ２に送信し、印刷ジョブ一覧を要求する（Ｓ２８）。
【００５０】
印刷サーバ２は、機器通信部２５を用いてＳ２８の印刷ジョブ一覧要求から取得したユーザーＩＤ、ジョブＩＤ及び性能情報をキーとして、ジョブ取得部２３を用いてジョブ情報を印刷ジョブ情報テーブルから取得する（Ｓ２９）。
【００５１】
印刷サーバ２は、Ｓ２９で条件に一致するジョブがあるかどうかを確認する（Ｓ３０）。印刷サーバ２は、一致するジョブがある場合にはＳ３１へ進む。また、印刷サーバ２は、一致するジョブがない場合には、処理を終了する。
【００５２】
印刷サーバ２は、Ｓ３０で得られた印刷ジョブ一覧情報を、機器通信部２５を用いてリモート機器５に返答する（Ｓ３１）。
【００５３】
リモート機器５は、印刷サーバ通信部４１を用いてＳ３１で返答された印刷ジョブ一覧情報を取得し、操作部４０によって表示する（Ｓ３２）。
【００５４】
図８は、リモート機器５が印刷を行う場合の動作を示すフローチャートである。リモート機器５は、Ｓ３２で印刷サーバ２から取得した印刷ジョブ一覧情報を元に、操作部４０を介してユーザーが選択した印刷対象のジョブが中断ジョブであったか否かを確認する（Ｓ３３）。
【００５５】
リモート機器５は、Ｓ３３で状況が「印刷中断」であるジョブが見つかったかどうかを確認する（Ｓ３４）。リモート機器５は、中断ジョブが存在した場合にはＳ３５へ進む。また、リモート機器５は、中断ジョブが存在しない場合にはＳ３６へ進む。
【００５６】
リモート機器５は、中断ジョブを前回の続きから再開するかどうか、及び再開ページ数についての指示を、操作部４０を介して受入れる（Ｓ３５）。
【００５７】
リモート機器５は、印刷サーバ通信部４１を用いて、Ｓ３３で選択されたジョブのデータ取得要求、当該ジョブの監視に必要なトラックＩＤ及びＳ３５で取得した印刷再開に関する情報を印刷サーバ２に送信する（Ｓ３６）。
【００５８】
印刷サーバ２は、機器通信部２５を用いてＳ３６の要求を受信し、印刷対象のジョブのジョブＩＤを検索キーとして、ジョブ取得部２３を用いて印刷ジョブ情報テーブルからジョブのデータを取得する（Ｓ３７）。
【００５９】
印刷サーバ２は、Ｓ３７で中断ジョブに関して途中ページからの出力再開の要求を受信していたかどうかを確認する（Ｓ３８）。印刷サーバ２は、出力再開の要求がある場合にはＳ３９へ進む。また、印刷サーバ２は、出力再開の要求がない場合にはＳ４０へ進む。
【００６０】
印刷サーバ２は、ジョブ編集部２４を用いて、ジョブのデータの出力開始ページをＳ３７で受信した再開ページに変更する（Ｓ３９）。
【００６１】
印刷サーバ２は、ジョブ編集部２４を用いてジョブのデータにＳ３７で受信したトラックＩＤを埋め込む（Ｓ４０）。
【００６２】
印刷サーバ２は、Ｓ４０で編集したジョブのデータを機器通信部２５を用いてリモート機器５に返答する（Ｓ４１）。
【００６３】
リモート機器５は、印刷サーバ通信部４１を用いてＳ４１で返答されたジョブのデータを受信し、印刷部４２を用いて印刷（出力）を開始する（Ｓ４２）。
【００６４】
このように、印刷システム１は、ローカル機器４がジョブ蓄積先情報を近距離無線通信により携帯端末６に送信し、リモート機器５がジョブ蓄積先情報を携帯端末６から近距離無線通信により受信するので、任意の場所で容易にジョブを実行させることができる。
【００６５】
ジョブ蓄積先情報は、ジョブのデータそのものではなく、ジョブの蓄積先を示す情報のみで構成されているため、非常に軽量である。よって、近距離無線通信のみでデータ送受信を完結でき、携帯端末６を業務ネットワーク等に参加させる必要がない。つまり、携帯端末６の業務ネットワーク接続に対するセキュリティポリシーが厳しい運用環境への適用も容易である。
【００６６】
また、ジョブ蓄積先情報を記録する携帯端末６は、認証デバイス（ＩＣカードなど）と同一でもよいし、別デバイスでもよい。同一デバイスの場合、認証と同時にジョブ蓄積先情報を取得でき、既存運用の操作性を変えずに付加価値を向上させることができる。また、印刷システム１は、社員証のような任意情報を容易に書き込めないＩＣカードを認証に用いる場合、認証は社員証で行い、ジョブ蓄積先情報は携帯端末６に記録するように構成されてもよい。
【００６７】
さらに、印刷システム１は、性能情報に対応しないジョブを一覧に表示させないことにより、意図と異なるミスプリントの抑止、ジョブ選択時の余分な操作時間を節約できる。また、ジョブ蓄積先情報にジョブＩＤを含むことにより、蓄積した全ジョブだけでなく、選択したジョブのみを他拠点で出力することが可能となっている。これは出力機器が操作表示部のない機器などである場合に有効である。
【符号の説明】
【００６８】
１  印刷システム
２  印刷サーバ
２０  ジョブ受信部
２１  ジョブ設定部
２２  印刷ジョブ情報記憶部
２３  ジョブ取得部
２４  ジョブ編集部
２５  機器通信部
３  印刷クライアント
３０  印刷ジョブ送信部
４  ローカル機器
４０  操作部
４１  印刷サーバ通信部
４２  印刷部
４３  ケーパビリティ情報記憶部
４４  ジョブステータス情報記憶部
４５  蓄積先取得設定部
４６  携帯端末通信部
５  リモート機器
６  携帯端末
６０  蓄積先情報記憶部
６２  蓄積先設定部
６４  蓄積先取得部
６６  機器通信部
【先行技術文献】
【特許文献】
【００６９】
【特許文献１】特開２００８−１９２０５１号公報
【図１】
2015060326.tif 000003
【図２】
2015060326.tif 000004
【図３】
2015060326.tif 000005
【図４】
2015060326.tif 000006
【図５】
2015060326.tif 000007
【図６】
2015060326.tif 000008
【図７】
2015060326.tif 000009
【図８】
2015060326.tif 000010